(57)【要約】【課題】建物１０の内部に独立に設置されるパーソナルな調剤用クリーンルームユニット２０を、開き戸６０の開放による汚染の影響が軽減されるよう、改良する。【解決手段】開き戸６０を装備した作業ユニット３０と、作業台４１を有するクリーンベンチ４０と、作業ルーム３４に清浄な空気を送給しつつクリーンベンチ４０から排気する圧力調整可能な給排気系（７１，７２等）と、作業ルーム３４の気圧を陰圧か他の圧力に切り替えて異質な調剤作業の遂行を可能にする制御装置２２とを備え、前記給排気系（７１，７２等）は、給気側と排気側とが完全に分離されていて、作業ルーム３４への給気には屋外から取り入れた空気だけが用いられ、クリーンベンチ４０からの排気は総て屋外に出される。また、作業台４１の上方（４３）に加えて下方（４６）からも排気される。【選択図】        図１
2010096460.tif 000002
【特許請求の範囲】
【請求項１】
作業者出入用の開き戸を有しそれを閉めると外部から隔離される作業ルームと、作業台の一端とその上の作業用開口とを前記作業ルームに臨ませたクリーンベンチと、前記作業ルームに清浄な空気を送給しつつ前記クリーンベンチから排気する圧力調整可能な給排気系と、前記給排気系に対する動作制御を行うに際して前記作業ルームの気圧を陰圧か他の圧力に切り替えて異質な調剤作業の遂行を可能にする制御装置とを備えており、建物の内部に独立に設置される調剤用クリーンルームユニットにおいて、前記給排気系は、給気側と排気側とが完全に分離されていて、前記作業ルームへの給気には屋外から取り入れた空気だけが用いられるとともに、前記クリーンベンチからの排気は総て屋外に出されるようになっていることを特徴とする調剤用クリーンルームユニット。
【請求項２】
前記給排気系が前記作業台の上方と下方とから吸気して排気側へ運ぶようになっていることを特徴とする請求項１記載の調剤用クリーンルームユニット。
【請求項３】
前記開き戸の開閉を検出する開閉検出器が設けられるとともに、前記作業ルームの内部に表示器が設けられており、前記制御装置が、前記開閉検出器の検出結果と前記給排気系に対する動作制御の状態とに基づいて前記開き戸の開閉に係る案内表示を前記表示器に行うことを特徴とする請求項１又は請求項２に記載された調剤用クリーンルームユニット。
【請求項４】
前記開き戸の開閉操作部材の状態を検出する操作検出器が設けられるとともに、前記作業用開口を開閉するシャッタが前記クリーンベンチに設けられており、前記制御装置が、前記操作検出器の検出結果と前記給排気系に対する動作制御の状態とに基づき給排気中の前記開き戸の開操作を検知して前記シャッタを閉めることを特徴とする請求項１又は請求項２に記載された調剤用クリーンルームユニット。
【請求項５】
前記開き戸の開閉を検出する開閉検出器が設けられており、前記制御装置が、給排気中の前記開き戸の開操作を検知した後に、前記開閉検出器の検出結果に基づいて前記開き戸の開動作を検知したとき、前記給排気系に排気を強化させるようになっていることを特徴とする請求項４記載の調剤用クリーンルームユニット。
【請求項６】
前記作業ルームを囲う外面のうち前記開き戸の下方に位置する部分に扉下吸気口が形成されており、前記給排気系が前記扉下吸気口からの吸気を選択的に行うものであり、前記制御装置が、給排気中の前記開き戸の開操作を検知したとき前記給排気系に前記扉下吸気口からの吸気を行わせることを特徴とする請求項４又は請求項５に記載された調剤用クリーンルームユニット。
【請求項７】
前記作業ルームを囲う外面のうち前記開き戸の下方に位置する部分に扉下吸気口が形成されており、前記給排気系が前記扉下吸気口からの吸気を選択的に行うものであり、前記制御装置が、給排気中の前記開き戸の開動作を検知したとき前記給排気系に前記扉下吸気口からの吸気を行わせることを特徴とする請求項３又は請求項５に記載された調剤用クリーンルームユニット。
【請求項８】
前記開き戸の開閉を検出する開閉検出器が設けられるとともに、前記作業ルームを囲う外面のうち前記開き戸の下方に位置する部分に扉下吸気口が形成されており、前記給排気系が前記扉下吸気口からの吸気を選択的に行うものであり、前記制御装置が、給排気中の前記開き戸の開動作を検知したとき前記給排気系に前記扉下吸気口からの吸気を行わせることを特徴とする請求項１又は請求項２に記載された調剤用クリーンルームユニット。
【請求項９】
前記開き戸の開閉操作部材の状態を検出する操作検出器が設けられるとともに、前記作業ルームを囲う外面のうち前記開き戸の下方に位置する部分に扉下吸気口が形成されており、前記給排気系が前記扉下吸気口からの吸気を選択的に行うものであり、前記制御装置が、給排気中の前記開き戸の開操作を検知したとき前記給排気系に前記扉下吸気口からの吸気を行わせることを特徴とする請求項１又は請求項２に記載された調剤用クリーンルームユニット。
【発明の詳細な説明】
【技術分野】
【０００１】
この発明は、作業者出入用の開き戸を装備した作業ルームとそれに作業台上の作業用開口を臨ませたクリーンベンチとが一体化されて、一人か小人数で調剤作業を行うのに好適なものとなっており、建物の内部に独立に設置される調剤用クリーンルームユニットに関する。
【背景技術】
【０００２】
調剤作業に適するよう改良された従来のクリーンルームユニットは（例えば特許文献１参照）、外部から隔離される作業ルームと、作業用開口を有しその作業用開口が前記作業ルームに臨むように設けられたクリーンベンチユニットとを備え、建物の内部に独立に設置されるものであって、前記作業ルームとクリーンベンチユニット内の空気の清浄化と圧力調整を行うことが可能であり而も作業ルームにエアシャワーを発生可能な空気調整システムと、前記空気調整システムの動作制御を行うに際して作業ルームにエアシャワーを発生させるエアシャワーモードと作業ルームを陽圧又は陰圧にして調剤作業を可能にする作業モードとに切り換え可能な空気調整制御手段とを備えている。
【０００３】
このように作業ルームにエアシャワーを発生させて作業者の除塵を可能にするとともにそのエアシャワーを空気調整システムで発生させるようにしたことにより小型化・低コスト化が実現されている。また、陽圧と陰圧とを切り替えることにより、抗ガン剤などの劇薬を調剤するときには作業ルームを陰圧にして薬剤の外部漏れを防止し、他の薬剤を調剤するときには作業ルームを陽圧にして汚染物質の侵入を防止することができる。
なお、前記作業ルームには作業者用の出入口を開閉する開閉ドア（開き戸）が設けられており、前記クリーンベンチユニットには前記作業用開口を開閉する開閉シャッタが装備されており、前記空気調整システムはユニット外から空気を取り入れつつフィルタと作業ルームとクリーンベンチユニットとの間で空気を循環させるようになっている。
【０００４】
【特許文献１】ＷＯ２００２００５／１１９１３１号公報
【発明の開示】
【発明が解決しようとする課題】
【０００５】
しかしながら、このような従来の言わばパーソナルな調剤用クリーンルームユニットでは、作業ルームが小形化されても、作業者出入用の開き戸は小さくならない。作業者出入口の開閉には、密閉に適さないうえ移動幅の広い引き戸でなく、密閉に適した開き戸が採用され、そのなかでも小形化のためには片開き扉が採用されるが、作業者の出入りを容易にするには或る程度以上の大きさの開き戸が必要とされるからである。そして、開き戸を開けるとき、短時間とは言え、密閉が解消されるまでの間は、開き具合に応じて密閉空間の容積が増加して、その分だけ内部の気圧が低下する。このため、作業ルームの容積に占める開時流入量の割合が、すなわち開き戸を開けたとき作業ルームに流れ込む空気の量と作業ルームの容積との比が、作業ルームを小さくするほど大きくなって、流入空気による作業ルームやクリーンベンチの汚染もひどくなる。
【０００６】
開き戸を開けた後に作業を再開するには、先ず作業者が作業ルームに入って開き戸を閉め、それからクリーンベンチの作業台や作業ルームの内壁面を拭いたりして清掃しながら給排気を行い、更に清掃終了後も給排気を続行して、作業ルームやクリーンベンチの内部が十分に綺麗になるのを待つのであるが、作業ルームやクリーンベンチの汚れ具合に対応して清浄度確保の待ち時間が長くなり、汚れがひどい場合には一時間を超えて待たされるといった不所望なことも起こりうる。
そこで、開き戸の開放による汚染の影響が軽減されるよう、パーソナルな調剤用クリーンルームユニットを改良することが技術的な課題となる。
【課題を解決するための手段】
【０００７】
本発明の調剤用クリーンルームユニットは（解決手段１）、このような課題を解決するために創案されたものであり、作業者出入用の開き戸を有しそれを閉めると外部から隔離される作業ルームと、作業台の一端とその上の作業用開口とを前記作業ルームに臨ませたクリーンベンチと、前記作業ルームに清浄な空気を送給しつつ前記クリーンベンチから排気する圧力調整可能な給排気系と、前記給排気系に対する動作制御を行うに際して前記作業ルームの気圧を陰圧か他の圧力に切り替えて異質な調剤作業の遂行を可能にする制御装置とを備えており、建物の内部に独立に設置される調剤用クリーンルームユニットにおいて、前記給排気系は、給気側と排気側とが完全に分離されていて、前記作業ルームへの給気には屋外から取り入れた空気だけが用いられるとともに、前記クリーンベンチからの排気は総て屋外に出されるようになっていることを特徴とする。
【０００８】
また、本発明の調剤用クリーンルームユニットは（解決手段２）、上記解決手段１の調剤用クリーンルームユニットであって、前記給排気系が前記作業台の上方と下方とから吸気して排気側へ運ぶようになっていることを特徴とする。
【０００９】
さらに、本発明の調剤用クリーンルームユニットは（解決手段３）、上記解決手段１，２の調剤用クリーンルームユニットであって、前記開き戸の開閉を検出する開閉検出器が設けられるとともに、前記作業ルームの内部に表示器が設けられており、前記制御装置が、前記開閉検出器の検出結果と前記給排気系に対する動作制御の状態とに基づいて前記開き戸の開閉に係る案内表示を前記表示器に行うことを特徴とする。
【００１０】
また、本発明の調剤用クリーンルームユニットは（解決手段４）、上記解決手段１，２の調剤用クリーンルームユニットであって、前記開き戸の開閉操作部材の状態を検出する操作検出器が設けられるとともに、前記作業用開口を開閉するシャッタが前記クリーンベンチに設けられており、前記制御装置が、前記操作検出器の検出結果と前記給排気系に対する動作制御の状態とに基づき給排気中の前記開き戸の開操作を検知して前記シャッタを閉めることを特徴とする。
【００１１】
また、本発明の調剤用クリーンルームユニットは（解決手段５）、上記解決手段４の調剤用クリーンルームユニットであって、前記開き戸の開閉を検出する開閉検出器が設けられており、前記制御装置が、給排気中の前記開き戸の開操作を検知した後に、前記開閉検出器の検出結果に基づいて前記開き戸の開動作を検知したとき、前記給排気系に排気を強化させるようになっていることを特徴とする。
【００１２】
また、本発明の調剤用クリーンルームユニットは（解決手段６）、上記解決手段１〜５の調剤用クリーンルームユニットであって、上記解決手段４，５の調剤用クリーンルームユニットについては前記操作検出器が設けられていることを前提とし、上記解決手段３，５の調剤用クリーンルームユニットについては前記開閉検出器が設けられていることを前提とし、上記解決手段１，２にあっては前記開き戸の開閉を検出する開閉検出器と前記開き戸の開閉操作部材の状態を検出する操作検出器との何れか一方または双方が設けられて、更に次のようになっていることを特徴とするものである。
すなわち、前記作業ルームを囲う外面のうち前記開き戸の下方に位置する部分に扉下吸気口が形成されており、前記給排気系が前記扉下吸気口からの吸気を選択的に行うものであり、前記制御装置が、給排気中の前記開き戸の開動作または開操作を検知したとき前記給排気系に前記扉下吸気口からの吸気を行わせるようになっている。
【発明の効果】
【００１３】
このような本発明の調剤用クリーンルームユニットにあっては（解決手段１）、給排気系の給気側と排気側とが完全に分離されていて、屋外から取り入れられた空気が作業ルームに送り込まれ、それが総てクリーンベンチを経て屋外に出されるので、作業ルームの清浄化に供する空気は、ユニット内で循環再使用されることなく、ユニットの小形化とも相まって迅速に入れ替えられる。このように、使用済み空気が循環系に留まる可能性まで無くしたことにより、開き戸の開閉と清掃に続く給排気による清浄化が完了するまで待つのに費やす時間が短縮されることとなる。
【００１４】
なお、屋外から作業ルームまで外気を取り込む給気系と作業ルーム３４から空気を吸い出して屋外へ放出する排気系との完全分離により給排気量が増加するので給排気系の強化が必要となるが、ユニットが小さいので負担増も小さく、代わりに循環系が不要になるので、不所望なコストアップは回避・抑制される。
したがって、この発明によれば、外気での全量換気に基づく清浄化完了待ち時間の短縮により、開き戸の開放による汚染の影響が少なくて速やかに調剤作業を始められるパーソナルな調剤用クリーンルームユニットを実現することができる。
【００１５】
また、本発明の調剤用クリーンルームユニットにあっては（解決手段２）、給排気のうち排気系によるユニットからの屋外排気に向けた吸気が作業台の上方からなされるのに加えて作業台の下方からもなされる。そのため、開き戸の開閉後の清浄化完了待ち中に作業ルーム内を舞い降りた塵や埃が効率良く除去される。また、散薬等が作業台上から作業ルームへ不所望に入り込んで舞い落ちたようなときでも、その薬剤等は作業台の下を通って作業ルームから速やかに排出されることから、それが例え劇薬であっても被爆の可能性や量が小さくて済むので、調剤作業者の危険性も小さい。
したがって、この発明によれば、外気での全量換気に加えて作業台の上下からの吸い出しまで行うようにしたことにより、開き戸の開放による汚染の影響が少なくてより速やかに調剤作業を始められるうえ被爆の危険性が小さいパーソナルな調剤用クリーンルームユニットを実現することができる。
【００１６】
さらに、本発明の調剤用クリーンルームユニットにあっては（解決手段３）、開き戸の開閉に係る案内表示が作業ルームの内部の表示器になされる。しかも、その案内表示は開き戸の開閉状態と給排気の実行状態とに応じて行われる。そのため、作業者が作業ルームから出るとき、作業者は案内表示の内容と退室の緊急性とを勘案して適切な時期に開き戸を開けることとなる。調剤作業者の緊急避難を優先する観点から開き戸に施錠するのは好ましくなく少なくとも外側から施錠することはないが、適切な開閉案内表示を見た作業者は、非常時は別としても、大抵は、開き戸の開放による汚染が少ないときに退室する。
したがって、この発明によれば、外気での全量換気に加えて開閉案内表示も行うようにしたことにより、緊急避難可能でも開き戸の開放による汚染の影響が少なくて速やかに調剤作業を始められるパーソナル調剤用クリーンルームユニットを実現することができる。
【００１７】
また、本発明の調剤用クリーンルームユニットにあっては（解決手段４）、開き戸を開けようとした準備段階で早期に、而も自動で、クリーンベンチの作業台上の調剤作業空間と作業ルームとがシャッタで仕切られる。これにより、開き戸が開き始めて作業ルームの気圧が低下しても、そのときには既に調剤作業空間と作業ルームとが仕切られているため、調剤作業空間から作業ルームへ散薬等の汚染物質が流れ込むという不所望な事態の発生を回避・低減することができる。
【００１８】
また、本発明の調剤用クリーンルームユニットにあっては（解決手段５）、開き戸が開き始めたり開いたりしたときには、排気が強化される。
これにより、シャッタの隙間を通って調剤作業空間から作業ルームへ流れ込もうとする汚染物質まで減らして僅少にすることができる。
【００１９】
また、本発明の調剤用クリーンルームユニットにあっては（解決手段６）、開き戸を開けようとしたり開けたときには、開き戸の下方のユニット外面から、吸気がなされる。
これにより、例え開き戸を開けたときに開き戸に追従する気流に運ばれて散薬等が作業ルームから室外へ舞い降りたような場合でも、その散薬等は大部分が速やかに吸い込まれてうえで排気側に運ばれるので、ユニット外の汚染まで回避・抑制することができる。
【発明を実施するための最良の形態】
【００２０】
このような本発明の調剤用クリーンルームユニットについて、これを実施するための具体的な形態を、以下の実施例１〜２により説明する。
図１に示した実施例１は、上述した解決手段１〜２（出願当初の請求項１〜２）を具現化したものであり、図２に示した実施例２は、上述した解決手段３〜５，６（出願当初の請求項３〜５，６〜９）を具現化したものである。
なお、それらの図示に際しては、簡明化等のため、ボルト等の締結具，ヒンジ等の連結具，電気回路や電子回路の詳細などは図示を割愛し、発明の説明に必要なものや関連するものを中心に図示した。
【実施例１】
【００２１】
本発明の調剤用クリーンルームユニットの実施例１について、その具体的な構成を、図面を引用して説明する。図１は、（ａ）がクリーンルームユニット２０の設置状態を示す設置先の建物１０の縦断面図、（ｂ）がクリーンルームユニット２０の全体外観を示す正面図、（ｃ）がクリーンルームユニット２０の中の空気流路を示す内部模式図、（ｄ）が給排気系の構成を示すブロック図である。
【００２２】
クリーンルームユニット２０は、既述したものと同様（特許文献１参照）、建物１０の内部に独立に設置される調剤用クリーンルームユニットであって（図１（ａ）参照）、一人か小人数で調剤作業を行うのに好適なよう小形化されており（図１（ｂ）参照）、底部２１上に作業ユニット３０とクリーンベンチ４０とパスユニット５０とが設置され、作業ユニット３０に対して左右からクリーンベンチ４０とパスユニット５０とが連結されて、それらが密閉可能な一体のハウジングに収まっている。
【００２３】
もっとも、クリーンルームユニット２０は、既述した従来品と異なり、クリーンルームユニット２０から出た給気ダクト１２は建物１０の外まで延びて外気取入口１１から外気を取り込めるようになっており、また、クリーンルームユニット２０から出た排気ダクト１３，１４は合流後に陰陽切替ダンパ１５やフィルタさらには送風機１６を経てから建物１０の外まで延びていてクリーンルームユニット２０から吸い出した排気を屋外排気口１７から屋外へ放出できるようになっている。
【００２４】
作業ユニット３０は（図１（ｃ）参照）、やはり既述品と同様、送風機７２，７４を内蔵していて給気ダクト１２から空気を取り込む天井裏３１と、作業者出入用の開き戸６０を正面に装備しておりそれを閉めると外部から隔離されて一人か小人数での調剤作業の遂行に十分な密閉空間を確保できる作業ルーム３４と、天井裏３１から作業ルーム３４へ穏やかに清浄な空気を送り込む送気口３２と、天井裏３１から作業ルーム３４へ勢い良くエアシャワーを吹き付ける噴気口３３とを、具えている。
【００２５】
クリーンベンチ４０は、これも既述品と同様、台上に調剤作業空間の確保された作業台４１と、その調剤作業空間から空気を吸い出して排気側へ送るために作業台４１上で後背側に設けられた台上吸気口４３と、その排気を排気ダクト１３に導く連通路４４及び天井裏４５とを具えたものであり、作業台４１の前端とその上の作業用開口とを作業ルーム３４に臨ませており、その作業用開口がシャッタ４２にて開閉されるようになっている。ただし、既述品と異なり、図示しない駆動機構が付加されて、シャッタ４２が手動だけでなく自動でも開閉できるようになっている。また、作業台４１の下に台下吸気口４６が設けられて、そこから作業ルーム３４の空気を吸い出して連通路４７や底部２１の通路などを経由させて排気ダクト１４へ導くようになっている。
【００２６】
パスユニット５０は、これも既述品と同様、作業ユニット３０の一部と言っても良いものであり、開き戸６０を閉じたまま小物の出し入れや洗浄を可能とするパスボックス５１と、その上から作業ルーム３４の空気を吸い出して排気するためにパスボックス５１上で後背側に設けられた箱上吸気口５２と、その排気を排気ダクト１４に導く連通路５３及び天井裏５４とを具えている。このようなパスボックス５１の下には、箱下吸気口５５が設けられて、そこからも作業ルーム３４の空気を吸い出して連通路５６や連通路５３などを経由させて排気ダクト１４へ導くようになっている。
【００２７】
給排気系は（図１（ｄ）参照）、給気側と排気側とが完全に分離されていて、作業ルーム３４への給気には屋外から取り入れた空気だけが用いられるとともに、クリーンベンチ４０からの排気は総て屋外に出されるようになっている。
給気系について詳述すると、外気を外気取入口１１から建物１０内に取り入れ、その空気を給気ダクト１２で天井裏３１へ送り込みフィルタ７１で清浄化してから、送風機７２を作動させれば消音器７３と送気口３２を介して清浄な空気を穏やかに作業ルーム３４に送給し、送風機７４を作動させれば消音器７５と噴気口３３を介して清浄な空気を勢い良く作業ルーム３４に送給するので、定常運転時の清浄空気供給に加えて、入室後の除塵のためのエアシャワーまで、作業ルーム３４で行えるものとなっている。
【００２８】
また、排気系は、台上吸気口４３から天井裏４５の送風機７６で排気ダクト１３へ排気し、箱上吸気口５２と箱下吸気口５５とから天井裏５４の送風機７７で排気ダクト１４へ排気し、両排気を合流させてから陰陽切替ダンパ１５経由で送風機１６にて屋外排気口１７から屋外へ送り出すようになっている。なお、図示は割愛したが、排気系には、適宜箇所に、例えば排気ダクト１３，１４や天井裏４５，５４等に、散薬や塵埃の屋外放出による環境破壊を防止するために、散薬や塵埃を捕獲するフィルタが組み込まれている。
そして、このような給気系と排気系とを具えた給排気系は、外気を取り込んで清浄化した空気だけを作業ルーム３４に送給しつつ、その総てをユニット内で循環させることなくクリーンベンチ４０やパスユニット５０経由で屋外へ放出するものとなっている。
【００２９】
しかも、上記の陰陽切替ダンパ１５の開き具合を調節することで、背圧が変わるので、上流側の空気の圧力を調整できるものともなっている。
さらに、その陰陽切替ダンパ１５や上記の送風機７２，７４，７６，７７は例えばマイクロプロセッサ組み込みの制御装置２２によって動作制御されるようになっており、図示しない操作パネル等を介して制御装置２２に指示することで、作業ルーム３４の圧力を陰圧にでも常圧にでも陽圧にでも切り替えることができる。既述したように、陰圧は抗ガン剤といった劇薬の調剤作業に適しており、陽圧は他の薬剤の調剤作業に適している。
【００３０】
この実施例１のクリーンルームユニット２０について、その使用態様及び動作を、図面を引用して説明する。図１は、（ａ）がクリーンルームユニット２０の設置状態を示す設置先の建物１０の縦断面図、（ｃ）がクリーンルームユニット２０の中の空気の流れを矢印で示している内部模式図である。
【００３１】
クリーンルームユニット２０は建物１０の内部に独立に設置されるが、給気ダクト１２の先端の外気取入口１１と排気ダクト１３，１４の先端の屋外排気口１７が建物１０から外に出ているので、給排気系が作動すると、屋外から外気がクリーンルームユニット２０の給気系に取り込まれるとともに、クリーンルームユニット２０の排気系から出る排気は屋外排気口１７から屋外へ放出される。
【００３２】
そして、クリーンルームユニット２０の内部では、屋外から取り入れられた空気が清浄化されたうえで作業ルーム３４に送り込まれる。しかも、作業ルーム３４への給気には屋外から取り入れた空気だけが用いられる。また、作業ルーム３４の中の空気は、一部がクリーンベンチ４０の作業台４１の上の調剤作業空間および台上吸気口４３を経て排気ダクト１３へ導かれ、残りがパスユニット５０のパスボックス５１の上の作業空間および箱上吸気口５２とパスボックス５１の下の箱下吸気口５５とクリーンベンチ４０の作業台４１の下の台下吸気口４６とを経て排気ダクト１４へ導かれ、これらの排出空気は総て再び清浄化され最後は屋外に放出される
【００３３】
このような給排気を行うクリーンルームユニット２０を用いて調剤を行うには、先ず給排気の止まっている状態で、開き戸６０を開けて作業者が作業ルーム３４に入り、さらに開き戸６０を閉めてから、吸排気を開始させる。その際、排気系の送風機７６，７７，１６は選択することなく纏めて作動させるが、給気系の送風機７２，７４については選択的に作動させる。具体的には、送風機７４は入室後の除塵のためエアシャワーが必要なときだけ作動させ、その後は送風機７２だけ作動させる。シャッタ４２は開けておく。
【００３４】
それから、給排気が続く作業ルーム３４の中で、作業者は、クリーンベンチ４０の作業台４１の上面や作業ルーム３４の内壁面などを拭いたりして清掃を行い、清掃終了後は作業ルーム３４の内部やクリーンベンチ４０の作業台４１上の調剤作業空間が十分に綺麗になるのを待つのであるが、上述したように作業ルーム３４への給気には屋外から取り入れた空気だけが用いられるうえ、クリーンベンチ４０やパスユニット５０からの排気が総て屋外に出されて、クリーンルームユニット２０の中の空気が速やかに入れ替わって、空気の清浄度が短時間のうちに改善されるので、待ち時間は従来より短縮される。
【００３５】
そして、作業ルーム３４等の空気が十分に綺麗になったら、作業台４１の上の調剤作業空間で調剤作業を行うが、それに先だち、陰陽切替ダンパ１５の開度を調節して、抗ガン剤などの劇薬を調剤する場合は薬剤の外部漏れを防止するため作業ルーム３４を陰圧にしておき、他の薬剤を調剤する場合は汚染物質の侵入を防止するため作業ルーム３４を陽圧にしておく。また、調剤に供する薬剤の搬入や調剤の済んだ薬剤の搬出は、開き戸６０を開閉することなく且つ短時間で済むよう、パスボックス５１を介して行う。
【００３６】
その際、作業台４１の上で調剤作業により舞い上がった散薬等は気流に乗って台上吸気口４３から排出されて作業ルーム３４でなく排気ダクト１３へ運ばれ、パスボックス５１の上で搬入搬出等により舞い上がった塵や埃は連通路５３から吸い出されて作業ルーム３４でなく連通路４４へ運ばれる。また、作業台４１の上から作業ルーム３４の方に舞い降りた散薬等は台下吸気口４６から吸い出され、パスボックス５１の上から作業ルーム３４の方にこぼれ落ちた塵埃は箱下吸気口５５から吸い出されて、何れも連通路５３へ運ばれる。そして、排気系に組み込まれたフィルタによって捕獲されるので、環境を損なうことなく、排気だけが屋外排気口１７から屋外に放出される。
【００３７】
調剤作業が済んだら、給排気系の作動を止め、作業ルーム３４内の作業者は、作業ルーム３４内で給排気系による空気の流れが感じられなくなるのを待って、シャッタ４２を閉めて作業台４１上の調剤作業空間と作業ルーム３４とを仕切り、それから開き戸６０を静かに開けて、作業ルーム３４から出る。
こうして、このクリーンルームユニット２０を用いた調剤作業にあっては、従来より素早く作業を開始して、その分だけ短い時間で、作業を終えることができる。また、劇薬が作業台４１上から作業ルーム３４へ不所望に入り込んでしまったときでも、その薬剤は作業台４１の上下から速やかに排出されるので、作業者の被爆の危険性が小さい。
【実施例２】
【００３８】
本発明の調剤用クリーンルームユニットの実施例２について、その具体的な構成を、図面を引用して説明する。図２は、（ａ）が開き戸６０を閉めたときの扉周辺部の外観図、（ｂ）がそのときの扉周辺部の内観図、（ｃ）が開き戸６０を開けるために開閉操作部材６１を操作したときの扉周辺部の外観図、（ｄ）がそのときの扉周辺部の内観図、（ｅ）が開き戸６０を開けたときの扉周辺部の横断面図、（ｆ）が給排気系の改造部分を示すブロック図である。
【００３９】
この調剤用クリーンルームユニットが上述した実施例１のクリーンルームユニット２０と相違するのは、開き戸６０の周囲の改造であり、表示器６３と操作検出器６４と開閉検出器６５と扉下吸気口２３と開閉ダンパ２４を追加した点と、それらの追加に伴って制御装置２２の機能を強化した点である。
開き戸６０自体は既述品と同じままでも良く、図示した開き戸６０には、密閉性に優れ安価で壁面占有面積が少なくて済む片開き扉が採用され、作業ユニット３０の正面の出入口枠材３５に装着されている。この開き戸６０は、回転ハンドルからなる開閉操作部材６１が内外（裏表）に出ており、スライドロッド等の係止部材６２が内装されている。
【００４０】
作業ユニット３０の出入口枠材３５は、開き戸６０に対応していれば、これも既述品と同じで良く、出入口枠材３５のうち左右の縦枠の何れか一方には、係止部材６２の先端を挿入可能な孔状の被係止部３６が形成されており、他方の縦枠には開き戸６０を支持する蝶番が取り付けられている。そして、出入口枠材３５に装着された開き戸６０は、開閉操作部材６１を手動操作で回すと係止部材６２が完全に引っ込んで係止部材６２と被係止部３６との係合が解消して開閉自在な状態になり、開閉操作部材６１から手を離して自由にするとバネ力等によって開閉操作部材６１が逆回転して元に戻るとともに係止部材６２の先端が突き出すので、閉じると係止部材６２と被係止部３６とが係合して閉状態が維持されるようになっている。なお、施錠はしないので、その機能や部材は不要である。
【００４１】
表示器６３は、制御装置２２の制御に従って案内用の文章や記号を表示する例えば液晶パネルであり、作業ルーム３４の内部のうち開き戸６０の近くで作業者の見やすいところ例えば出入口枠材３５に取り付けられている。
操作検出器６４は、例えばフォトセンサやプッシュスイッチからなり、開閉操作部材６１の状態を検出するものであるが、検出結果を制御装置２２に信号等で通知するには開き戸６０側でなく作業ルーム３４本体側に置いた方が簡便かつ安価なので被係止部３６に臨んで出入口枠材３５に設けられ、開閉操作部材６１に連動する係止部材６２の進退状態を検出することで間接的に開閉操作部材６１の状態検出を行うようになっている。
【００４２】
操作検出器６４も例えばフォトセンサやプッシュスイッチで良いが、操作検出器６４は、出入口枠材３５に設けられて開き戸６０の開閉を直接的に検出することができるものであり、その検出結果も制御装置２２に通知されるようになっている。
扉下吸気口２３は、上述した台上吸気口４３等と同じでも良く、例えばパンチングメタルに形成された多数の小穴のようなもので良く、作業ルーム３４を囲う外面のうち開き戸６０の下方に位置する底部２１の部分に形成されている。
扉下吸気口２３は開閉ダンパ２４を介在させて底部２１の連通路に繋がっており、開閉ダンパ２４が制御装置２２の制御に従って開閉することにより、給排気系が扉下吸気口２３からの吸気を選択的に行うようになっている。
【００４３】
制御装置２２は、開閉検出器６５の検出結果と給排気系に対する動作制御の状態とに基づいて開き戸６０の開閉に係る案内表示を表示器６３に行うよう機能が拡張されている。具体的には、開き戸６０が開いているのに給排気系を作動させようとしたときには「給排気開始前に扉を閉めて下さい」といった案内を表示し、開き戸６０が閉まったら「給排気が開始できます」といった案内を表示し、給排気中には「扉を開ける前に給排気を止めてください」といった案内を表示し、給排気中に開き戸６０が開いたときには「急いで退室して扉を閉めて下さい」といった案内を表示するようになっている。
【００４４】
また、制御装置２２は、もとより給排気系に対する動作制御の状態に基づいて給排気中か否かが分かっているうえ、開閉操作部材６１が回転操作されて係止部材６２の先端と被係止部３６との係合が解消されると又は解消されかかると、そのことの検出結果が操作検出器６４から通知され、それで開き戸６０の開動作に先立つ開き戸６０の開操作を検知できるので、給排気中に開き戸６０の開操作が行われたときには、シャッタ４２に作業台４１前端上の作業用開口を閉めさせるとともに、開閉ダンパ２４に少し開かせて給排気系に扉下吸気口２３からの吸気を弱く行わせるようになっている。
【００４５】
さらに、制御装置２２は、給排気中の開き戸６０の開操作を検知した後に、開閉検出器６５の検出結果に基づいて給排気中の開き戸６０の開動作を検知したとき、一時的に例えば１〜２秒ほど送風機７６，７７，１６の回転数を最大にする等のことにより給排気系に排気を強化させるとともに、開閉ダンパ２４に大きく開かせて給排気系に扉下吸気口２３からの吸気を強く行わせるようになっている。
【００４６】
この実施例２の調剤用クリーンルームユニットを使用した場合、基本的な使い方や動作は上述したクリーンルームユニット２０と同様なので繰り返しとなる説明は割愛し、機能拡張に対応した動作等を詳述する。
作業者が開き戸６０を開けて作業ルーム３４に入ったときに、開き戸６０をきちんと閉めないで給排気系を作動させようとすると、表示器６３に「給排気開始前に扉を閉めて下さい」との案内が表示されるので、閉め忘れによる汚染を回避することができる。
【００４７】
また、開き戸６０が閉まっていれば表示器６３に「給排気が開始できます」との案内が表示されるので、作業者は安心して給排気を開始させることができる。
さらに、給排気中には表示器６３に「扉を開ける前に給排気を止めてください」との案内が表示されるので、開き戸６０に施錠がされていなくても、うっかり給排気中に開き戸６０を開けてしまう不所望な行為は抑制される。それでいて、作業者が身の危険を感じたときには、開き戸６０が施錠されていないので、緊急脱出することができる。そして、給排気中に開き戸６０が開いたときには、表示器６３に「急いで退室して扉を閉めて下さい」との案内が表示され、ユニット内外の相互汚染の抑制が促される。
【００４８】
しかも、作業者が開き戸６０を開けようとして開閉操作部材６１を操作すると、制御装置２２によって開き戸６０の開操作が検知され、それが給排気中に行われた場合は、開き戸６０が実際に開く前に予め自動で、シャッタ４２が閉まって作業台４１上の調剤作業空間と作業ルーム３４とが仕切られるうえ、通常は閉まっている開閉ダンパ２４が少し開いて扉下吸気口２３から吸気が弱いけれども開始される。それから、作業者が開き戸６０を押し開くと、制御装置２２によって給排気中の開き戸６０の開動作が検知されて、一時的にクリーンベンチ４０やパスユニット５０経由の排気が強化されるとともに、開閉ダンパ２４が大きく開いて扉下吸気口２３からの吸気も強化される。
【００４９】
このように、給排気中に開閉操作部材６１の操作で開き戸６０が開けられると予測されるときには、直ちにクリーンベンチ４０の調剤作業空間と作業ルーム３４の内部空間とを仕切るとともに、扉下吸気口２３からの吸い込みを助走的に行っておき、それから実際に開き戸６０が押し開かれたときには、クリーンベンチ４０経由の排気も扉下吸気口２３からの吸い込みも強くなるようにしたことにより、開き戸６０の押し開き時に作業ルーム３４の気圧が一時低下しても、調剤作業空間から作業ルーム３４へ流れ込む散薬等の量を僅少に抑えることができるうえ、開いた開き戸６０の後を追う気流に乗って作業ルーム３４からユニット外へ出て床上の残る散薬等も僅少に抑えることができる。
【００５０】
［その他］
上記実施例では、操作検出器６４の検出結果に基づいて制御装置２２が給排気中の開き戸６０の開操作を検知したときに制御装置２２が給排気系に扉下吸気口２３からの吸気を開始させるようになっていたが、それは行わずに、開閉検出器６５の検出結果に基づいて制御装置２２が給排気中の開き戸６０の開動作を検知したときに初めて制御装置２２が給排気系に扉下吸気口２３からの吸気を開始させるようにしても良い。
また、上記実施例では、開閉操作部材６１が回転ハンドルであったが、開閉操作部材６１は、手動操作にて開き戸６０を開閉できるものであれば他の形状でも良く、例えば回転式のノブや押し引き式の把手でも良い。
【００５１】
さらに、上記実施例では、係止部材６２がスライドロッド・進退棒であったが、係止部材６２は、受止部３６に対する係止と係止解除とを開閉操作部材６１の作動に応じて行えるものであれば他の形状でも良く、例えば回転式のフック・鉤でも良い。
上記実施例では言及しなかったが、消毒機能のあるパスボックスを作業ユニット３０やパスユニット５０に連結しても良く、運転表示灯やインターホンを装備しても良く、椅子を入れておいても良く、人感センサーを取り付けても良く、覗き窓を設けても良く、照明は複数でも良く、シャッタ４２の開閉状態を検出するセンサを設けても良く、調剤指示や薬剤情報などを表示するディスプレイを設けても良い。
【図面の簡単な説明】
【００５２】
【図１】本発明の調剤用クリーンルームユニットの実施例１について、（ａ）が設置状態を示す設置先建物の縦断面図、（ｂ）がユニットの全体外観を示す正面図、（ｃ）が空気流路を示す内部模式図、（ｄ）が給排気系の構成を示すブロック図である。
【図２】本発明の調剤用クリーンルームユニットの実施例２について、（ａ）が開き戸を閉めたときの扉周辺部の外観図、（ｂ）がそのときの扉周辺部の内観図、（ｃ）が開き戸を開けるために開閉操作部材を操作したときの扉周辺部の外観図、（ｄ）がそのときの扉周辺部の内観図、（ｅ）が開き戸を開けたときの扉周辺部の横断面図、（ｆ）が給排気系の改造部分を示すブロック図である。
【符号の説明】
【００５３】
１０…建物、１１…外気取入口、
１２…給気ダクト、１３，１４…排気ダクト、
１５…陰陽切替ダンパ、１６…送風機、１７…屋外排気口、
２０…クリーンルームユニット、２１…底部、
２２…制御装置、２３…扉下吸気口、２４…開閉ダンパ、
３０…作業ユニット、
３１…天井裏、３２…送気口、３３…噴気口、
３４…作業ルーム、３５…出入口枠材、３６…被係止部、
４０…クリーンベンチ、４１…作業台、
４２…シャッタ、４３…台上吸気口、４４…連通路、
４５…天井裏、４６…台下吸気口、４７…連通路、
５０…パスユニット、
５１…パスボックス、５２…箱上吸気口、５３…連通路、
５４…天井裏、５５…箱下吸気口、５６…連通路、
６０…開き戸（片開き扉）、
６１…開閉操作部材、６２…係止部材、
６３…表示器、６４…操作検出器、６５…開閉検出器、
７１…フィルタ、７２…送風機、７３…消音器、
７４…送風機、７５…消音器、７６，７７…送風機
【図１】
2010096460.tif 000003
【図２】
2010096460.tif 000004